【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
連写撮影又は動画撮影する撮影手段と、
この撮影手段により連写撮影又は動画撮影された画像中に動きのある部分が存在しているか否かを検出する検出手段と、
この検出手段により動きのある部分の存在が検出されない状態の際に、少なくとも１枚の静止画像である背景画像を記憶させる静止画像記憶制御手段と、
前記検出手段により動きのある部分の存在が検出された状態の際に、前記撮影手段により連写撮影又は動画撮影された一連の動きのある部分である被写体画像を含む画像の中から、少なくとも１枚の被写体画像を含む画像を記憶させる動画像記憶制御手段と、
前記静止画像記憶制御手段により記憶された背景画像と前記動画像記憶制御手段により記憶された被写体画像を含む画像とから、被写体画像を切り出す切り出し手段と、
この切り出し手段により切り出された被写体画像を記憶させる被写体画像記憶制御手段と
を備えていることを特徴とする撮影画像処理装置。
【請求項２】
前記撮影手段は、前記検出手段により動きのある部分の存在が検出されない状態の際は、第１のフレームレートで連写撮影又は動画撮影を行い、前記動きのある部分の存在が検出された状態の際は、前記第１のフレームレートよりも高い第２のフレームレートで連写撮影又は動画撮影を行うことを特徴とする請求項１記載の撮影画像処理装置。
【請求項３】
連写撮影又は動画撮影する撮影手段と、
この撮影手段により連写撮影又は動画撮影された画像中に動きのある部分が存在する状態から存在していない状態へ変化した第１の状態変化、及び、前記画像中に動きのある部分が存在していない状態から存在する状態へ変化した第２の状態変化のいずれかがあったことを検出する検出手段と、
この検出手段により第１の状態変化又は第２の状態変化のいずれかがあったことが検出されたことを条件に、前記画像中に動きのある部分である被写体画像を含む画像と静止画像である背景画像とから、少なくとも１枚の被写体画像を切り出す切り出し手段と、
この切り出し手段により切り出された被写体画像を記憶させる被写体画像記憶制御手段と
を備えていることを特徴とする撮影画像処理装置。
【請求項４】
前記連写撮影又は動画撮影された画像中における顔を検出する顔検出手段を更に備え、
前記動画像記憶制御手段は、前記顔検出手段によって顔が検出された場合に、それ以降において前記連写撮影又は動画撮影された画像を被写体画像として記憶させることを特徴とする請求項１から３にいずれか記載の撮影画像処理装置。
【請求項５】
前記連写撮影又は動画撮影された画像中における顔を検出する顔検出手段を更に備え、
前記切り出し手段は、前記背景画像と前記被写体画像を含む画像とに基づいて、前記顔検出手段によって顔が検出された被写体画像を切り出すことを特徴とする請求項１から３にいずれか記載の撮影画像処理装置。
【請求項６】
前記被写体画像記憶制御手段に記憶された被写体画像に、任意に選択された画像を付加させる画像加工制御手段を更に備えることを特徴とする請求項１から５にいずれか記載の撮影画像処理装置。
【請求項７】
前記画像加工制御手段は、前記切り出された被写体画像を、前記静止画像記憶制御手段に記憶されている背景画像から任意に選択された背景画像上に配置させることを特徴とする請求項６記載の撮影画像処理装置。
【請求項８】
前記被写体画像は複数の被写体画像であり、前記画像加工制御手段は、当該複数の被写体画像の間の間隔を調整して配置させる間隔調整配置手段を含むことを特徴とする請求項６記載の撮影画像処理装置。
【請求項９】
前記画像加工制御手段は、操作入力された吹き出し付きのコメントを前記切り出された被写体画像の近傍に配置させる近傍配置制御手段を含むことを特徴とする請求項６記載の撮影画像処理装置。
【請求項１０】
前記静止画像記憶制御手段に記憶された背景画像に、任意に選択された画像を付加させる画像加工制御手段を更に備えることを特徴とする請求項１記載の撮影画像処理装置。
【請求項１１】
連写撮影又は動画撮影する撮影手段を備える装置が有するコンピュータを、
この撮影手段により連写撮影又は動画撮影された画像中に動きのある部分が存在しているか否かを検出する検出手段と、
この検出手段により動きのある部分の存在が検出されない状態の際に、少なくとも１枚の静止画像である背景画像を記憶させる静止画像記憶制御手段と、
前記検出手段により動きのある部分の存在が検出された状態の際に、前記撮影手段により連写撮影又は動画撮影された一連の動きのある部分である被写体画像を含む画像の中から、少なくとも１枚の被写体画像を含む画像を記憶させる動画像記憶制御手段と、
前記静止画像記憶制御手段により記憶された背景画像と前記動画像記憶制御手段により記憶された被写体画像を含む画像とから、被写体画像を切り出す切り出し手段と、
この切り出し手段により切り出された被写体画像を記憶させる被写体画像記憶制御手段と
して機能させることを特徴とする撮影画像処理プログラム。
【請求項１２】
前記被写体画像記憶制御手段に記憶された被写体画像に、任意に選択された画像を付加させる画像加工制御手段を更に含むことを特徴とする請求項１１記載の撮影画像処理プログラム。
【請求項１３】
連写撮影又は動画撮影する撮影手段を備える装置が有するコンピュータを、
この撮影手段により連写撮影又は動画撮影された画像中に動きのある部分が存在する状態から存在していない状態へ変化した第１の状態変化、及び、前記画像中に動きのある部分が存在していない状態から存在する状態へ変化した第２の状態変化のいずれかがあったことを検出する検出手段と、
この検出手段により第１の状態変化又は第２の状態変化のいずれかがあったことが検出されたことを条件に、前記画像内に動きのある部分である被写体画像を含む画像と静止画像である背景画像とから、少なくとも１枚の被写体画像を切り出す切り出し手段と、
この切り出し手段により切り出された被写体画像を記憶させる被写体画像記憶制御手段と  して機能させることを特徴とする撮影画像処理プログラム。
【請求項１４】
連写撮影又は動画撮影する撮影手段を備える装置における撮影画像処理方法であって、
被写体を連写撮影又は動画撮影するステップと、
連写撮影又は動画撮影された画像中に動きのある部分が存在しているか否かを検出するステップと、
この検出手段により動きのある部分の存在が検出されない状態の際に、少なくとも１枚の静止画像である背景画像を記憶させるステップと、
前記動きのある部分の存在が検出された状態の際に、前記連写撮影又は動画撮影された一連の動きのある部分である被写体画像を含む画像の中から、少なくとも１枚の被写体画像を含む画像を記憶させるステップと、
前記記憶された背景画像と前記記憶された被写体画像を含む画像とから、被写体画像を切り出す切り出し手段ステップと、
この切り出された被写体画像を記憶させるステップと
を含むことを特徴とする撮影画像処理方法。
【請求項１５】
前記被写体画像に、任意に選択された画像を付加させるステップを更に備えることを特徴とする請求項１４記載の撮影画像処理方法。
【請求項１６】
連写撮影又は動画撮影する撮影手段を備える装置における撮影画像処理方法であって、
この撮影手段により連写撮影又は動画撮影された画像中に動きのある部分が存在する状態から存在していない状態へ変化した第１の状態変化、及び、前記画像中に動きのある部分が存在していない状態から存在する状態へ変化した第２の状態変化のいずれかがあったことを検出するステップと、
前記第１の状態変化又は第２の状態変化のいずれかがあったことが検出されたことを条件に、前記画像内に動きのある部分である被写体画像を含む画像と静止画像である背景画像とから、少なくとも１枚の被写体画像を切り出すステップと、
前記切り出された被写体画像を記憶させる被写体画像記憶制御手段と
を含むことを特徴とする撮影画像処理方法。
【手続補正２】
【補正対象書類名】明細書
【補正対象項目名】０００８
【補正方法】変更
【補正の内容】
【０００８】
前記課題を解決するために請求項１記載の発明に係る撮影画像処理装置にあっては、連写撮影又は動画撮影する撮影手段と、この撮影手段により連写撮影又は動画撮影された画像中に動きのある部分が存在しているか否かを検出する検出手段と、この検出手段により動きのある部分の存在が検出されない状態の際に、少なくとも１枚の静止画像である背景画像を記憶させる静止画像記憶制御手段と、前記検出手段により動きのある部分の存在が検出された状態の際に、前記撮影手段により連写撮影又は動画撮影された一連の動きのある部分である被写体画像を含む画像の中から、少なくとも１枚の被写体画像を含む画像を記憶させる動画像記憶制御手段と、前記静止画像記憶制御手段により記憶された背景画像と前記動画像記憶制御手段により記憶された被写体画像を含む画像とから、被写体画像を切り出す切り出し手段と、この切り出し手段により切り出された被写体画像を記憶させる被写体画像記憶制御手段とを備えていることを特徴とする。
【手続補正３】
【補正対象書類名】明細書
【補正対象項目名】００１０
【補正方法】変更
【補正の内容】
【００１０】
また、請求項３記載の発明に係る撮影画像処理装置にあっては、連写撮影又は動画撮影する撮影手段と、この撮影手段により連写撮影又は動画撮影された画像中に動きのある部分が存在する状態から存在していない状態へ変化した第１の状態変化、及び、前記画像中に動きのある部分が存在していない状態から存在する状態へ変化した第２の状態変化のいずれかがあったことを検出する検出手段と、この検出手段により第１の状態変化又は第２の状態変化のいずれかがあったことが検出されたことを条件に、前記画像中に動きのある部分である被写体画像を含む画像と静止画像である背景画像とから、少なくとも１枚の被写体画像を切り出す切り出し手段と、この切り出し手段により切り出された被写体画像を記憶させる被写体画像記憶制御手段とを備えていることを特徴とする。
【手続補正４】
【補正対象書類名】明細書
【補正対象項目名】００１１
【補正方法】変更
【補正の内容】
【００１１】
また、請求項４記載の発明に係る撮影画像処理装置にあっては、前記連写撮影又は動画撮影された画像中における顔を検出する顔検出手段を更に備え、前記動画像記憶制御手段は、前記顔検出手段によって顔が検出された場合に、それ以降において前記連写撮影又は動画撮影された画像を被写体画像として記憶させることを特徴とする。
【手続補正５】
【補正対象書類名】明細書
【補正対象項目名】００１２
【補正方法】変更
【補正の内容】
【００１２】
また、請求項５記載の発明に係る撮影画像処理装置にあっては、前記連写撮影又は動画撮影された画像中における顔を検出する顔検出手段を更に備え、前記切り出し手段は、前記背景画像と前記被写体画像を含む画像とに基づいて、前記顔検出手段によって顔が検出された被写体画像を切り出すことを特徴とする。
【手続補正６】
【補正対象書類名】明細書
【補正対象項目名】００１３
【補正方法】変更
【補正の内容】
【００１３】
また、請求項６記載の発明に係る撮影画像処理装置にあっては、前記被写体画像記憶制御手段に記憶された被写体画像に、任意に選択された画像を付加させる画像加工制御手段を更に備えることを特徴とする。
【手続補正７】
【補正対象書類名】明細書
【補正対象項目名】００１４
【補正方法】変更
【補正の内容】
【００１４】
また、請求項７記載の発明に係る撮影画像処理装置にあっては、前記画像加工制御手段は、前記切り出された被写体画像を、前記静止画像記憶制御手段に記憶されている背景画像から任意に選択された背景画像上に配置させることを特徴とする。
【手続補正８】
【補正対象書類名】明細書
【補正対象項目名】００１５
【補正方法】変更
【補正の内容】
【００１５】
また、請求項８記載の発明に係る撮影画像処理装置にあっては、前記被写体画像は複数の被写体画像であり、前記画像加工制御手段は、当該複数の被写体画像の間の間隔を調整して配置させる間隔調整配置手段を含むことを特徴とする。
【手続補正９】
【補正対象書類名】明細書
【補正対象項目名】００１６
【補正方法】変更
【補正の内容】
【００１６】
また、請求項９記載の発明に係る撮影画像処理装置にあっては、前記画像加工制御手段は、操作入力された吹き出し付きのコメントを前記切り出された被写体画像の近傍に配置させる近傍配置制御手段を含むことを特徴とする。
【手続補正１０】
【補正対象書類名】明細書
【補正対象項目名】００１７
【補正方法】変更
【補正の内容】
【００１７】
また、請求項１０記載の発明に係る撮影画像処理装置にあっては、前記静止画像記憶制御手段に記憶された背景画像に、任意に選択された画像を付加させる画像加工制御手段を更に備えることを特徴とする。
【手続補正１１】
【補正対象書類名】明細書
【補正対象項目名】００１８
【補正方法】変更
【補正の内容】
【００１８】
また、請求項１１記載の発明に係る撮影画像処理プログラムにあっては、連写撮影又は動画撮影する撮影手段を備える装置が有するコンピュータを、この撮影手段により連写撮影又は動画撮影された画像中に動きのある部分が存在しているか否かを検出する検出手段と、この検出手段により動きのある部分の存在が検出されない状態の際に、少なくとも１枚の静止画像である背景画像を記憶させる静止画像記憶制御手段と、前記検出手段により動きのある部分の存在が検出された状態の際に、前記撮影手段により連写撮影又は動画撮影された一連の動きのある部分である被写体画像を含む画像の中から、少なくとも１枚の被写体画像を含む画像を記憶させる動画像記憶制御手段と、前記静止画像記憶制御手段により記憶された背景画像と前記動画像記憶制御手段により記憶された被写体画像を含む画像とから、被写体画像を切り出す切り出し手段と、この切り出し手段により切り出された被写体画像を記憶させる被写体画像記憶制御手段として機能させることを特徴とする。
【手続補正１２】
【補正対象書類名】明細書
【補正対象項目名】００１９
【補正方法】変更
【補正の内容】
【００１９】
また、請求項１２記載の発明に係る撮影画像処理プログラムにあっては、前記被写体画像記憶制御手段に記憶された被写体画像に、任意に選択された画像を付加させる画像加工制御手段を更に含むことを特徴とする。
【手続補正１３】
【補正対象書類名】明細書
【補正対象項目名】００２０
【補正方法】変更
【補正の内容】
【００２０】
また、請求項１３記載の発明に係る撮影画像処理プログラムにあっては、連写撮影又は動画撮影する撮影手段を備える装置が有するコンピュータを、この撮影手段により連写撮影又は動画撮影された画像中に動きのある部分が存在する状態から存在していない状態へ変化した第１の状態変化、及び、前記画像中に動きのある部分が存在していない状態から存在する状態へ変化した第２の状態変化のいずれかがあったことを検出する検出手段と、
この検出手段により第１の状態変化又は第２の状態変化のいずれかがあったことが検出されたことを条件に、前記画像内に動きのある部分である被写体画像を含む画像と静止画像である背景画像とから、少なくとも１枚の被写体画像を切り出す切り出し手段と、この切り出し手段により切り出された被写体画像を記憶させる被写体画像記憶制御手段として機能させることを特徴とする。
【手続補正１４】
【補正対象書類名】明細書
【補正対象項目名】００２１
【補正方法】変更
【補正の内容】
【００２１】
また、請求項１４記載の発明に係る撮影画像処理方法にあっては、連写撮影又は動画撮影する撮影手段を備える装置における撮影画像処理方法であって、被写体を連写撮影又は動画撮影するステップと、連写撮影又は動画撮影された画像中に動きのある部分が存在しているか否かを検出するステップと、この検出手段により動きのある部分の存在が検出されない状態の際に、少なくとも１枚の静止画像である背景画像を記憶させるステップと、前記動きのある部分の存在が検出された状態の際に、前記連写撮影又は動画撮影された一連の動きのある部分である被写体画像を含む画像の中から、少なくとも１枚の被写体画像を含む画像を記憶させるステップと、前記記憶された背景画像と前記記憶された被写体画像を含む画像とから、被写体画像を切り出す切り出し手段ステップと、この切り出された被写体画像を記憶させるステップとを含むことを特徴とする。
【手続補正１５】
【補正対象書類名】明細書
【補正対象項目名】００２２
【補正方法】変更
【補正の内容】
【００２２】
また、請求項１５記載の発明に係る撮影画像処理方法にあっては、前記被写体画像に、任意に選択された画像を付加させるステップを更に備えることを特徴とする。
【手続補正１６】
【補正対象書類名】明細書
【補正対象項目名】００２３
【補正方法】変更
【補正の内容】
【００２３】
また、請求項１６記載の発明に係る撮影画像処理プログラムにあっては、連写撮影又は動画撮影する撮影手段を備える装置における撮影画像処理方法であって、この撮影手段により連写撮影又は動画撮影された画像中に動きのある部分が存在する状態から存在していない状態へ変化した第１の状態変化、及び、前記画像中に動きのある部分が存在していない状態から存在する状態へ変化した第２の状態変化のいずれかがあったことを検出するステップと、前記第１の状態変化又は第２の状態変化のいずれかがあったことが検出されたことを条件に、前記画像内に動きのある部分である被写体画像を含む画像と静止画像である背景画像とから、少なくとも１枚の被写体画像を切り出すステップと、前記切り出された被写体画像を記憶させる被写体画像記憶制御手段とを含むことを特徴とする。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】変更
【補正の内容】
【００３０】
本発明によれば、簡単な操作により、切り出された被写体画像を、たとえば、人物キャラクタとして容易かつ迅速に作成することができる。
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００７０
【補正方法】変更
【補正の内容】
【００７０】
よって、本実施の形態によれば、従来のような複雑な操作を伴うことなく、簡単に、一連の被写体画像を切り出して記憶させることができる。よって、簡単な操作により、背景の存在していない被写体のみの被写体画像を人物キャラクタとして作成することができ、これにより、動くキャラクタとして用いることができるようにすることができる。